(57)【要約】      （修正有）【課題】起型時のキャビティが比較的単純で、容易に加工成形でき、特別な中子引抜機構の必要もなく、構造も単純で、起型のコストも低く、同時に製品の成形後も容易に離型し、歩留まりが高いため、製造コストが安い歯ブラシを提供する。【解決手段】歯ブラシは、ブラシヘッド１と、ハンドル２とを備える。ブラシヘッド１の下端に挿着部３が設けられ、ハンドル２の上端に挿着部３とフィットする挿入穴４が設けられ、挿着部３に第１係止環５が設けられ、挿入穴４の内壁に第１係止環５と係合して位置を規制するための第２係止環が設けられ、ブラシヘッド１の回転を規制する規制機構をさらに備える。挿着部３と挿入穴４を組み合わせ、軸方向の規制は２つの係止環の係合を用いる。【選択図】図１
0003233220.tif 000002
【実用新案登録請求の範囲】
【請求項１】
ブラシヘッド（１）と、ハンドル（２）と、を備えた歯ブラシであって、前記ブラシヘッド（１）の下端に挿着部（３）が設けられ、前記ハンドル（２）の上端に前記挿着部（３）とフィットする挿入穴（４）が設けられ、前記挿着部（３）に第１係止環（５）が設けられ、前記挿入穴（４）の内壁に前記第１係止環（５）と係合して位置を規制するための第２係止環（６）が設けられ；前記ブラシヘッド（１）の回転を規制する規制機構をさらに備えることを特徴とする歯ブラシ。
【請求項２】
前記規制機構は、規制ブロック（７）と、前記規制ブロック（７）と係合して位置を規制するための規制溝（８）を備え、前記規制ブロック（７）が前記ブラシヘッド（１）または前記ハンドル（２）に位置する場合、前記規制溝（８）が前記ハンドル（２）または前記ブラシヘッド（１）に位置し、前記ブラシヘッド（１）と前記ハンドル（２）との間に前記ブラシヘッド（１）から流れ落ちる液体および／または滴り落ちる液体を遮断するためのガード（９）が設けられることを特徴とする、請求項１に記載の歯ブラシ。
【請求項３】
前記規制ブロック（７）は、前記ブラシヘッド（１）と前記挿着部（３）の移行部位に位置し、前記規制溝（８）が前記挿入穴（４）の内壁に位置し、かつ前記規制溝（８）が前記ハンドル（２）の上端面に開口し、前記規制ブロック（７）が前記規制溝（８）内に挿入されることを容易にすることを特徴とする、請求項２に記載の歯ブラシ。
【請求項４】
前記ハンドル（２）置き用のベース部（１０）をさらに備え、前記ハンドル（２）の下端に前記ベース部（１０）に吸着する吸着機構が設けられ、前記挿着部（３）の長さは、１〜６ｃｍであることを特徴とする、請求項１に記載の歯ブラシ。
【請求項５】
前記吸着機構は、磁気吸着機構であり、前記ベース部（１０）は柔軟材料で製造された被覆層（１３）と磁石（１１）または強磁性体で製造されたコア層（１４）で構成され、前記被覆層（１３）が前記コア層（１４）の外面を覆い、前記ハンドル（２）の下端面に前記磁石（１１）が埋め込まれている場合、前記ベース部（１０）に前記磁石（１１）または強磁性体が設けられ、前記ハンドル（２）の下端面に強磁性体が埋め込まれている場合、前記ベース部（１０）上に前記磁石（１１）が設けられることを特徴とする、請求項４に記載の歯ブラシ。
【考案の詳細な説明】
【技術分野】
【０００１】
本考案は、口腔の清掃用品分野に関し、特に、ブラシヘッドを交換できる歯ブラシに関する。
【背景技術】
【０００２】
科学技術と医学の急速な発展に伴い、人々の生活水準は大幅に向上し、予防的な保健に対する意識が高まりつつあり、人々もまた口腔の清掃と保健を益々重視している。歯ブラシは、口腔清掃の重要な用具の一つである。
【０００３】
従来の歯ブラシは、シンプルな一体型歯ブラシ、ヘッド交換式歯ブラシおよび電動歯ブラシが挙げられ、一体型歯ブラシは使いやすいであるが、一定期間使用した後、歯ブラシ全体を交換する必要があるため、不要な無駄が発生し；電動歯ブラシは、清掃効果がより良好で、ブラシヘッドを交換することもできるが、コストが比較的高く、かつ定期的に充電するか、または電池を交換する必要があり、使用に不便であり；ヘッド交換式歯ブラシは、ハンドルを残しブラシヘッドのみを交換することで、ハンドル部の無駄を減らし、使いやすくなる。
【０００４】
ただし、現在市販されているヘッド交換式歯ブラシは、ブラシヘッドとハンドルが弾性挿嵌体を通じて挿嵌穴と係合し、挿嵌体が一般的にアンダーカット形状であるため、起型が比較的複雑で、中子引抜機構が比較的多くなり、構造も比較的複雑となるため、金型のコストも比較的高くなり、かつ使用過程でブラシヘッドの交換は、指で挿嵌体を押すことで、ブラシヘッドを抜き出すことができるが、使いづらくなっていた。
【考案の概要】
【考案が解決しようとする課題】
【０００５】
本考案は、製造コストが低く、使い勝手が良く歯ブラシを提供することを、その技術的課題とする。
【課題を解決するための手段】
【０００６】
本考案は、上記技術的課題を解決するために以下のような技術的手段を講じた。
ブラシヘッドと、ハンドルと、を備えた歯ブラシであって、前記ブラシヘッドの下端に挿着部が設けられ、前記ハンドルの上端に挿着部とフィットする挿入穴が設けられ、前記挿着部に第１係止環が設けられ、前記挿入穴の内壁に第１係止環と係合して位置を規制するための第２係止環が設けられ；ブラシヘッドの回転を規制する規制機構をさらに備える。
【０００７】
さらに、前記規制機構は、規制ブロックと、規制ブロックと係合して位置を規制するための規制溝を備え、前記規制ブロックがブラシヘッドまたはハンドルに位置する場合、規制溝がハンドルまたはブラシヘッドに位置し；このような規制機構の構造は、単純で、部品も少なくて済み、射出成形も容易で、歩留まりが高いことで、使用に当たっての安定性および信頼性を確保する前提において、製造コストをさらに削減できる。
【０００８】
好ましくは、前記規制ブロックは、ブラシヘッドと挿着部の移行部位に位置し、前記規制溝が挿入穴の内壁に位置し、かつ規制溝がハンドルの上端面に開口し、規制ブロックが規制溝内に挿入されることを容易にし；このように配置された後、規制ブロックがブラシヘッドと挿着部の連接部への補強作用を働かせ、ブラシヘッドと挿着部が折損しにくくなり、さらにブラシヘッドの使用に当たっての安定性および信頼性を向上し；開口の規制溝は、成形と離型に便利で、ハンドルの離型歩留まりを向上させることで、さらに製造コストを削減できる。
【０００９】
さらに、前記ブラシヘッドとハンドルとの間にブラシヘッドから流れ落ちる液体および／または滴り落ちる液体を遮断するためのガードが設けられ；ガードが設けられた後、歯磨き時の液体または泡が手と接触する確率を効果的に減らすことができ、子供が使用する時、手の液体または泡を飲み込む可能性を減らし、同時に液体または泡が手につく不快感も減らし、子供が使用する時の抵抗感が少なくなり、子供の歯磨き習慣を身につけるのに便利である。
【００１０】
さらに、ハンドル置き用のベース部をさらに備え；ベース部が設けられた後、歯ブラシをコップに入れずに個別に置かせるようにでき、ハンドルの底部にも水垢やカビが発生しにくく、衛生的で大人の歯ブラシと分けて置くこともでき、同時に楽しみがあり、子供が歯磨きに夢中になることで、子供の定期的な歯磨きの習慣を身につけるのに便利である。
【００１１】
好ましくは、前記ハンドルの下端にベース部に吸着する吸着機構が設けられ；吸着機構の設置により、放置及び持つ力が比較的小さいため、子供の使用に便利で、さらに子供の定期的な歯磨きを誘導できる。
【００１２】
好ましくは、前記吸着機構は、磁気吸着機構であり；ハンドルの下端面に磁石が埋め込まれている場合、ベース部に磁石または強磁性体が設けられ；ハンドルの下端面に強磁性体が埋め込まれている場合、ベース部上に磁石が設けられ；磁気吸着機構の構造は、より単純で、同時にハンドルが他の強磁性体にも吸着されることができるため、使い勝手が良く、体裁よく見た目も綺麗である。
【００１３】
好ましくは、前記ベース部は、柔軟材料で製造された被覆層と磁石または強磁性体で製造されたコア層で構成され、前記被覆層がコア層の外面を覆い；このように配置された後、ベース部は一定の滑り止め性と付着性を持っているだけでなく、被覆層は外部物体がコア層に接触するのを防止することもできることで、磁石または強磁性体が腐食または引っかかれることを防ぎ、ベース部の使用に当たっての信頼性および寿命を確保する。
【００１４】
さらに、前記挿着部の長さは、１〜６ｃｍであり；この長さ範囲の挿着部は、材料がちょうどよく、成形も容易であり、コストが安く、かつ接続後の強度も比較的高く、包括的な性能が良好である。
【００１５】
好ましくは、前記挿着部の長さは、２〜５ｃｍであり、前記第１係止環が挿着部のブラシヘッドに近い箇所に位置し；このような配置された後、使用する時挿着部の支点はよりブラシヘッドに近く、挿着部に対するハンドルのトルクが比較的大きいことで、挿着部が挿着された後の使用における安定性がより良好で、使い勝手が良い。
【考案の効果】
【００１６】
従来技術と比較して、本考案は、挿着部と挿入穴を組み合わせ、軸方向の規制が２つの係止環の係合を用いるため、起型時のキャビティが比較的単純で、容易に加工成形し、特別な中子引抜機構の必要もなく、構造も単純で、起型のコストも低く、同時に製品の成形後も容易に離型し、歩留まりが高いため、製造コストが安く；ブラシヘッドを使用している時、ブラシヘッドが口の中で往復または上下に動き、ブラシヘッドとハンドルとの間に大きな軸方向の規制力を必要としないため、組み合わせた２つの係止環で十分であり、使用時、ブラシヘッドの挿着部が２つの係止環を係合するまで直接挿入穴に挿入するだけでよく、ブラシヘッドを交換する必要がある場合、片手にブラシヘッドを、もう一方の手でハンドルを持ち、強く引っ張ってブラシヘッドをハンドルから分離できるため、より使い勝手がよく；規制機構が設けられた後、使用過程でブラシヘッドがハンドルに対して回転するのを防ぐことで、ブラシヘッドの使用に当たっての安定性および信頼性を確保できる。
【００１７】
以下、添付図面および好ましい実施例を参照しつつ本考案を詳細に描写するが、当業者はこれら添付図面が好ましい実施例を説明する目的でのみ描かれるため、本考案の範囲を限定することを意図しないことに理解されたい。なお、特に明示がない限り、添付図面は描写される要素の構成または構造を単に概略的に表すものであり、かつ図面においては、要素のサイズが過大視されている場合があり、例証目的のために尺度で描かれていない。
【図面の簡単な説明】
【００１８】
【図１】本考案の実施例１に係る歯ブラシの構造模式図である。
【図２】本考案の実施例１に係る歯ブラシのハンドルの拡大図である。
【図３】本考案の実施例１に係る歯ブラシのブラシヘッドの側面図である。
【図４】本考案の実施例２に係る歯ブラシの構造模式図である。
【図５】本考案の実施例２に係る歯ブラシの立体分解図である。
【図６】本考案の実施例３に係る歯ブラシの構造模式図である。
【図７】本考案の実施例３に係る歯ブラシのハンドルの拡大図である。
【図８】本考案の実施例３に係る歯ブラシのベース部の断面拡大図である。
【図９】本考案の実施例３に係る歯ブラシの正面図である。
【考案を実施するための形態】
【００１９】
以下、添付図面を参照しつつ本考案を詳細に説明する。
【００２０】
本考案の目的、技術的手段および利点をより明確にするため、以下は、添付図面および実施例を参照しつつ本考案を詳細に説明する。ここで描写する具体的実施例は本考案を説明する目的のためのものであって、本考案を限定することを意図するものではないことが理解されるべきである。
【００２１】
当業者は、本考案の説明において、用語「縦」、「横」、「上」、「下」、「前」、「後」、「左」、「右」、 「「垂直」、「水平」、頂」、「底」、「内」、「外」などが示した方位又は位置関係は、図面に基づいて示した方位又は位置関係であり、単に本考案を簡単に説明しやすくするためであり、示された装置又は部材が必ず特定の方位を有し、または特定の方位で構成され操作することと指示又は示唆するものではないので、本考案に対する限定と理解してはいけないことに理解されたい。
【００２２】
（実施例１）
図１、図２および図３に示すように、ブラシヘッド１と、ハンドル２と、を備えた歯ブラシであって、ブラシヘッド１の下端に挿着部３が設けられ、挿着部３は円柱体で、挿着部３の長さが１〜６ｃｍ（本実施例では３ｃｍであるが、具体的な長さは、挿着部３の外径と使用者層に応じて決める）で、かつ挿着部３の外径がブラシヘッド１の下端面の直径よりも小さいので、ブラシヘッド１の下端面は挿着部３が挿入穴４に挿入する深さに対し位置規制作用があり；ハンドル２の上端面に挿着部３とフィットする挿入穴４が設けられ、挿入穴４は、止まり穴であり、ハンドル２の外周面が波状の滑り止めパターンで、かつハンドル２の外周面上に間隔をあけてシリコンまたはゴム製の滑り止めリングを外嵌するため、滑りとめ効果を高めることができるだけでなく、持ち心地も向上することもでき、人間工学の効果が良好であり；挿着部３上に第１係止環５が設けられ、第１係止環５は、挿着部３の外周面にある半径方向の環状突起であり、第１係止環５の外径も下端面の直径より小さく；挿入穴４の内壁に第１係止環５と係合して位置を規制するための第２係止環６が設けられ、第１係止環５は、第２係止環６と係合した後挿着部３に対して上向きの規制をし、ブラシヘッド１の下端面とともに挿着部３に対して軸方向の規制を形成し；ブラシヘッド１の回転を規制するための規制機構をさらに備え、規制機構は、規制ブロック７と、規制ブロック７と係合して位置を規制するための規制溝８を備え；規制ブロック７は、ブラシヘッド１と挿着部３の移行部位に位置し、規制溝８が挿入穴４の内壁に位置し、かつ規制溝８の上端がハンドル２の上端面に開口し、規制ブロック７を規制溝８内に挿入しやすく、同時に規制溝８の成形および離型時の中子引抜き易いことで、製造コストを削減する。
【００２３】
（実施例２）
図４および図５に示すように、ブラシヘッド１とハンドル２との間にブラシヘッド１から流れ落ちる液体および／または滴り落ちる液体を遮断するためのガード９が設けられ；ガード９は、が逆椀型構造であり、ガード９の外周が花びら状を呈し、子供の注目を集めることができるので、子供に歯ブラシを好きにさせることから歯磨きを好きにさせ；ガード９の中央部に挿通孔が設けられ、挿通孔の直径は、ブラシヘッド１下端面とハンドル２上端面の直径よりも小さく、かつハンドル２上端面に環状突起が設けられ、突起の軸線とハンドル２の軸線とが同一の直線上にあり、突起が挿通孔内に挿入され、このように配置された後ガード９は、挿着部３の設置に影響を与えず、一体感にも良好である。挿着部３の長さは、４ｃｍである。
【００２４】
他の構造は、実施例１と同じである。
【００２５】
（実施例３）
図６、図７、図８および図９に示すように、歯ブラシであって、ハンドル２置き用のベース部１０をさらに備え、ハンドル２の下端にベース部１０に吸着する吸着機構が設けられ、吸着機構が磁気吸着機構であり；ハンドル２の下端面に座ぐり穴１２が設けられ、座ぐり穴１２内に磁石１１が埋め込まれ、前記磁石１１が強力磁石であり、ベース部１０が柔軟材料で製造された被覆層１３と強磁性体で製造されたコア層１４から成り、前記柔軟材料がゴムで、前記強磁性体が鉄片であり、通常ハンドル２とベース部１０はよりしっかりと吸着されるため、コア層１４が被覆層１３の真中やや上寄りの位置にあるため、ベース部１０の上にコア層１４に置いた時、被覆層１３とコア層１４が接触した後より密着し、ベース部１０の安定性が向上し；ベース部１０が設けられた後、歯ブラシをコップに入れずに個別に置かせるようにでき、ハンドル２の底部にも水垢やカビが発生しにくく、衛生的で大人の歯ブラシと分けて置くこともでき、同時に楽しみがあり、子供が歯磨きに夢中になることで、子供の定期的な歯磨きの習慣を身につけるのに便利である。ハンドル２は、他の強磁性体で製造された物体に吸着させることもでき、使用における柔軟性が良好で、より面白く、そして子供の使用をより惹きつける。
【００２６】
挿着部３の長さは、５ｃｍであり、第１係止環５が挿着部３のブラシヘッド１に近い位置に位置し、本実施例の第１係止環５からブラシヘッド１の下端面までの距離が挿着部３の長さの１／５である。
【００２７】
その他の構造は、実施例２と同じである。
【００２８】
（実施例４）
ハンドル２の下端面に座ぐり穴１２が設けられ、座ぐり穴１２内に強磁性体が埋め込まれ、ベース部１０は、柔軟材料で製造された被覆層１３と磁石１１で製造されたコア層１４から成り、前記強磁性体が鉄片で、前記柔軟材料がシリコンで、前記磁石１１が強力磁石である。子供が歯ブラシを使用している時、ハンドル２にある強い磁気による子供の電子腕時計への影響を防ぐことができる。
【００２９】
その他の構造は、実施例３と同じである。
【００３０】
以上は、本考案を詳細に説明しており、本明細書では具体的実施例を使用して本考案の原理および実施形態を描写し、上記実施例の説明は本考案および中核思想を理解するのを助けるために使用しているに過ぎない。当業者にとって、本考案の原理から逸脱することなく、本考案にいくつかの改善および潤飾を加えることができ、かかる改善および潤飾も本考案の保護範囲内に網羅される。
【符号の説明】
【００３１】
１０  ベース部
１  ブラシヘッド
１１  磁石
１２  座ぐり穴
１３  被覆層
１４  コア層
２  ハンドル
３  挿着部
４  挿入穴
５  第１係止環
６  第２係止環
７  規制ブロック
８  規制溝
９  ガード
【図１】
0003233220.tif 000003
【図２】
0003233220.tif 000004
【図３】
0003233220.tif 000005
【図４】
0003233220.tif 000006
【図５】
0003233220.tif 000007
【図６】
0003233220.tif 000008
【図７】
0003233220.tif 000009
【図８】
0003233220.tif 000010
【図９】
0003233220.tif 000011